(57)【特許請求の範囲】
【請求項１】
屋根勾配のび率θの屋根に葺かれる棧瓦の利き幅をＡ、利き足をθＡとしたとき、前記屋根の隅棟部に葺上げられる隅瓦の形状を三角形状とし、この三角形状の隅瓦の寸法を利き幅をａ（ａ≦Ａ）に、利き足θａに構成し、さらに前記三角形状の隅瓦にカット用の案内線を当該隅瓦の斜辺の内側に平行に設け、この案内線よりカットすることで前記三角形状の隅瓦の寸法を変更可能に構成したことを特徴とした三角隅瓦であって、
この三角隅瓦の利き幅ａは前記棧瓦の利き幅Ａのｎ整数分割した値であって、下記となり、
0003678681.tif 000010
利き足θＡは、上記利き幅Ａに屋根勾配のび率θを掛けた値であって、下記となり、
0003678681.tif 000011
前記カット用の案内線を当該隅瓦の斜辺からＡ／ｎの内側に平行に設けたことを特徴とする三角隅瓦。
【請求項２】
屋根勾配のび率θの屋根に葺かれる棧瓦の利き幅をＡ、利き足をθＡとしたとき、前記屋根の隅棟部に葺上げられる隅瓦の形状を三角形状とし、この三角形状の隅瓦の寸法を利き幅をａ（ａ≦Ａ）に、利き足θａに構成し、さらに前記三角形状の隅瓦にカット用の案内線を当該隅瓦の斜辺の内側に平行に設け、この案内線よりカットすることで前記三角形状の隅瓦の寸法を変更可能に構成したことを特徴とした三角隅瓦であって、
この三角隅瓦の利き幅ａは前記棧瓦の利き幅Ａのｎ整数分割した値であって、下記となり、
0003678681.tif 000012
利き足θＡは、上記利き幅Ａに屋根勾配のび率θを掛けた値であって、下記となり、
0003678681.tif 000013
前記カット用の案内線を当該隅瓦の斜辺からＡ／ｎの内側に平行に設けたことを特徴とする三角隅瓦の下に施工される隅下瓦であって、
この隅下瓦は、前記三角隅瓦の斜辺の延長線に沿ってカットし、斜辺上部の不要な部分を除いた構成であり、この斜辺の内側に平行にカット用の案内線を設け、この案内線よりカットすることで寸法を変更可能に構成し、前記三角隅瓦の斜辺に対応して決定されることを特徴とする隅下瓦。
【請求項３】
請求項１に記載の三角隅瓦において、水返し突条又は面戸を、カット用案内線の内側近くに設けたことを特徴とする三角隅瓦。
【請求項４】
請求項２に記載の隅下瓦において、水返し突条又は面戸を、カット用案内線の内側近くに設けたことを特徴とする隅下瓦。
【請求項５】
請求項１に記載の三角隅瓦及び請求項２に記載の隅下瓦並びに隅下半瓦と、前記棧瓦、半瓦並びに棟瓦とで施工することを特徴とする三角隅瓦及び隅下瓦等を使用した隅棟部の施工方法。
【発明の詳細な説明】
【０００１】
【発明の属する技術分野】
この発明は、三角隅瓦と、隅下瓦及びこの三角隅瓦、隅下瓦等を使用した隅棟部の施工方法に関する。
【０００２】
【従来の技術】
屋根を施工する際には、隅棟部において、瓦の廃材が発生することは周知である。この廃材は、産業廃棄物として業者が回収することが必要である。この回収の際に問題となるのが、廃材の回収は誰が責任を持って行うのかということである。そして、仮に瓦製造業者がこの責任を負うこととなると大きな問題が発生する。その理由は、当該業者が製造した瓦は、全国的に販売されることになるので、遠方の場合には、回収の困難性と、この回収、又は搬送等の諸費用の問題がある。また従来の瓦及び施工方法を利用する限り、前記の回収の必要性と、これに纏わる種々の問題が発生する可能性がある。従って、業者としては、廃材の少ない瓦の提供が避けられない状況に成りつつある。
【０００３】
この課題を解決するための一環として、下記に説明する文献（１）、（２）が存在する。文献（１）は、特開平１１−１９９６号の屋根構造であり、内容は、瓦の働き幅と働き長さの寸法比率を決定し、この決定に基づいた大きさの三角領域を屋根面に形成し、この三角領域に葺き上げられる瓦の寸法及び個数を製造し、またこの三角領域における斜辺に一致させた斜辺部を備える隅瓦又は谷瓦を予め形成して規格瓦とし、この規格瓦の隅瓦又は谷瓦を屋根の隅棟又は谷に沿って配置する構成である。従って、隅瓦又は谷瓦の生産を工場で可能として、現場において廃材発生をなくすこと、又は葺設の作業性を向上させること、さらには雨水浸入防止機能を備えさせ、かつ葺設形態の均整化を図ること、等を意図する。また文献（２）は、特開平８−１０９７０８号の瓦及び瓦葺き方法であり、内容は、利き幅をモジュール長さとした瓦本体部と、この瓦本体部の水上側の上方接続部と一側の側方接続部でなる棧瓦と、瓦本体部と上方接続部と側方接続部と隅瓦接続部でなる両棧瓦と、瓦本体部の半分の半瓦本体部と上方接続部と側方接続部でなる半瓦と、半瓦本体部と上方接続部と側方接続部と隅瓦接続部でなる両棧半瓦と、瓦本体部の対角線で切断された谷瓦本体部と隅瓦接続部でなる谷瓦と、谷瓦本体部と上方接続部と側方接続部でなる側方接続部付き谷瓦と、瓦本体部が対角線で折曲された廻り隅瓦でなる瓦を適宜組合せた構成である。従って、隅瓦又は谷瓦の生産を工場で可能として、現場での廃材発生をなくすこと、又は葺くときや修理するときに瓦の上を歩き易く、雨水が漏れ難いし、美麗な瓦を提供することを意図する。
【０００４】
【発明が解決しようとする課題】
前記文献（１）は、文献（２）のように、棧瓦の利き幅・利き足の比率を、屋根の勾配のび率に合せるのではなく、現実の形態・寸法のＪＩＳ規格でのＦ形（Ｌ２８０、Ｗ３０５）、Ｊ形５３Ａ（Ｌ２３５、Ｗ２６５）、又はＪ形５３Ｂ（Ｌ２２５×Ｗ２７５）を利用した各瓦を有効利用して、各種の屋根に適合することを意図している。従って、最も多い屋根勾配（４／１０〜６／１０）に合せるため、複数枚での領域を設定せざるを得なくなる。例えば、請求項１での領域は、（Ｆ形）は、利き足３枚×利き幅２．５枚となり、また請求項２での領域は、（５３Ｂ）は、利き足４枚×利き幅３枚となり、また請求項３での領域は、（５３Ａ）は、利き足５枚×利き幅４枚である。従って、瓦の部品点数が多くなり、前記請求項１では、右３、左３、合計６種類、又は請求項２では、右４、左４、合計８種類、また請求項３では、右５、左５、合計１０種類と多くなる課題がある。
【０００５】
また文献（２）は、棧瓦の利き幅・利き足の比率を、屋根の勾配のび率に合せた構成のモジュール瓦であり、この勾配のび率を基としてモジュール瓦の寸法が確定されている。従って、モジュール寸法の屋根及び廻り隅には、ピッタリと施工される特徴がある。しかし、その反面、モジュール寸法の屋根に限定される虞があること、又は汎用性に欠けること、等の問題が残る。殊に、住居等の建屋において、軒先の寸法は、隣接建物、自然環境等の関係から制約を受ける場合も少なくない。このような場合には、往々にして軒先寸法が、モジュール寸法にならない。このようにモジュール寸法とならない場合には、この発明では対処できない課題がある。
【０００６】
【課題を解決するための手段】
請求項１の発明は、三角隅瓦を三角形状とし、かつ棧瓦の利き幅の範囲内での寸法調整を利用して、当該隅棟部に使用する三角隅瓦を工場生産又は出荷時に確保し、現場において、瓦廃材の発生をできる限りなくすること、及び瓦廃材の発生を回避することで、作業性、経済性、環境等の向上を図ること、等を意図する。殊に軒先寸法の変化に対応した三角隅瓦を提供し、従来の課題を解決することを意図する。
【０００７】
請求項１は、屋根勾配のび率θの屋根に葺かれる棧瓦の利き幅をＡ、利き足をθＡとしたとき、前記屋根の隅棟部に葺上げられる隅瓦の形状を三角形状とし、この三角形状の隅瓦の寸法を利き幅をａ（ａ≦Ａ）に、利き足θａに構成し、さらに前記三角形状の隅瓦にカット用の案内線を当該隅瓦の斜辺の内側に平行に設け、この案内線よりカットすることで前記三角形状の隅瓦の寸法を変更可能に構成したことを特徴とした三角隅瓦であって、この三角隅瓦の利き幅ａは前記棧瓦の利き幅Ａのｎ整数分割した値であって、下記となり、
0003678681.tif 000002
利き足θＡは、上記利き幅Ａに屋根勾配のび率θを掛けた値であって、下記となり、
0003678681.tif 000003
前記カット用の案内線を当該隅瓦の斜辺からＡ／ｎの内側に平行に設けたことを特徴とする三角隅瓦である。
【０００８】
請求項２は、請求項１に記載の三角隅瓦を施工した時に、現場において、瓦廃材の発生をできる限りなくすること、及び瓦廃材の発生を回避することで、作業性、経済性、環境等の向上を図ること、また請求項１の目的を達成すること等を意図する。
【０００９】
請求項２は、屋根勾配のび率θの屋根に葺かれる棧瓦の利き幅をＡ、利き足をθＡとしたとき、前記屋根の隅棟部に葺上げられる隅瓦の形状を三角形状とし、この三角形状の隅瓦の寸法を利き幅をａ（ａ≦Ａ）に、利き足θａに構成し、さらに前記三角形状の隅瓦にカット用の案内線を当該隅瓦の斜辺の内側に平行に設け、この案内線よりカットすることで前記三角形状の隅瓦の寸法を変更可能に構成したことを特徴とした三角隅瓦であって、この三角隅瓦の利き幅ａは前記棧瓦の利き幅Ａのｎ整数分割した値であって、下記となり、
0003678681.tif 000004
利き足θＡは、上記利き幅Ａに屋根勾配のび率θを掛けた値であって、下記となり、
0003678681.tif 000005
前記カット用の案内線を当該隅瓦の斜辺からＡ／ｎの内側に平行に設けたことを特徴とする三角隅瓦の下に施工される隅下瓦であって、この隅下瓦は、前記三角隅瓦の斜辺の延長線に沿ってカットし、斜辺上部の不要な部分を除いた構成であり、この斜辺の内側に平行にカット用の案内線を設け、この案内線よりカットすることで寸法を変更可能に構成し、前記三角隅瓦の斜辺に対応して決定されることを特徴とする隅下瓦である。
【００１０】
請求項３の発明は、隅棟部の雨仕舞確保、体裁確保に最適な寸法の三角隅瓦を提供して、請求項１の目的を達成することを意図する。
【００１１】
請求項３は、請求項１に記載の三角隅瓦において、水返し突条又は面戸を、カット用案内線の内側近くに設けたことを特徴とする三角隅瓦である。
【００１２】
【００１３】
【００１４】
請求項４の発明は、隅棟部の雨仕舞確保、体裁確保に最適な寸法の隅下瓦を提供して、請求項１の目的を達成することを意図する。
【００１５】
請求項４は、請求項２に記載の隅下瓦において、水返し突条又は面戸を、カット用案内線の内側近くに設けたことを特徴とする隅下瓦である。
【００１６】
請求項５の発明は、三角隅瓦と隅下瓦と他の瓦との組合せを介して隅棟部を、確実かつ簡易に施工すること、又は請求項１の目的を達成することを意図する。
【００１７】
請求項５は、請求項１に記載の三角隅瓦及び請求項２に記載の隅下瓦並びに隅下半瓦と、前記棧瓦、半瓦並びに棟瓦とで施工することを特徴とする三角隅瓦及び隅下瓦等を使用した隅棟部の施工方法である。
【００１８】
【発明の実施の形態】
図１に示すように、屋根勾配のび率θの場合では、利き幅をＡとしたとき利き足がθＡとなる棧瓦を設定すると、野地寸法がＡ（利き幅）の倍数となっていれば図示の如く、右三角隅瓦（利き幅Ａ、利き足θＡ）と左三角隅瓦（利き幅Ａ、利き足θＡ）があれば切断せずに葺上げることができる。しかし、通常、図２に示すように、野地寸法は右隅棟芯に合せた時左隅棟芯の位置はＬ１〜Ｌ２の間にランダムに位置する。尚、図３は、棧瓦と左右三角隅瓦との関係及び形態を説明する平面図である。図中ｆは葺合せ時に隠れる部位であり、今後の説明では除くこととする。
【００１９】
以下、一例を説明する。
【００２０】
代表例として、図４に示すように、棧瓦の利き幅Ａ（以下、Ａとする）を５分割した場合で説明する。尚、Ａ＝５，ｎ＝５で表す。そして、右三角隅瓦（Ｒ）＝５，左三角隅瓦（Ｌ）＝３を設定したとする。図５に示すように、防水上の最大許容寸法とＡをｎ整数分割した値Ａ／ｎが同一と設定した場合には、三角隅瓦を棟芯からＡ／ｎだけ離してもよいこととなる。また図６に示すように、カット用の案内線を斜辺からＡ／ｎだけ内側に設けた場合を想定すると、このカット用の案内線を使用すればＡ／ｎだけ小さくすることができ、その分三角隅瓦を棟芯に寄せることができる。以上の図４〜図６の考え方を、５分割の右三角隅瓦（Ｒ），左三角隅瓦（Ｌ）に当て嵌めると、図７（イ）〜（ヘ）となる。即ち、棟芯から次の棧瓦までの寸法を右三角隅瓦（Ｒ）は、４，５，６の値（ポジション）を確保できる。また同様に左三角隅瓦（Ｌ）は、２，３，４の値（ポジション）を確保できる。以上の考えを基に、各種の組合せを検討すると、下記の組合わせがある。
（イ）＋（ニ）＝６        （ロ）＋（ニ）＝７        （ハ）＋（ニ）＝８
（イ）＋（ホ）＝７        （ロ）＋（ホ）＝８        （ハ）＋（ホ）＝９
（イ）＋（ヘ）＝８        （ロ）＋（ヘ）＝９        （ハ）＋（ヘ）＝１０
上記の組合せで構成された数値より棧瓦１枚分の寸法５を引くと、この５分割の例では、下記のポジションが確保できる。
【００２１】
１          ２          ３
２          ３          ４
３          ４          ５＝０
となり、結果として、０〜４までのすべての数が表われ５分割すべての位置についてこの組合せで対応できる。
【００２２】
従って、図８に示すように、野地寸法がどの値をとっても棟芯から三角隅瓦までのかい離をＡ／ｎ以下にすることができることを意味している。またＡ／ｎは、防水上の最大許容寸法でもあるので防水上の許容寸法以内で葺くことができる。
【００２３】
続いて、前記（５分割，Ｌ＝３，Ｒ＝５）を表で考えると、図９の例となり、この図９−１において縦軸に右三角隅瓦（Ｒ）を、横軸に左三角隅瓦（Ｌ）をとりＬ＋Ｒ／ｎ＝商・・・・剰余Ｐの式で導かれるＰを表にしたものでＬの値（２，３，４）とＲの値（４，５，６）で囲まれる枠の中に０〜４の値がすべて含まれている。この数値は、右三角隅瓦（Ｒ）と左三角隅瓦（Ｌ）の組合せによりとり得るポジションを表す。
【００２４】
次に、図１０は、棧瓦の利き幅Ａをｎ整数分割し、カット用案内線を１本設けた場合の一般式で  Ａ／ｎ＝１  と表したとき
左三角隅瓦の寸法をＲ（Ｒは、Ａ／ｎの整数倍、Ｒ≦ｎ）
右三角隅瓦の寸法をＬ（Ｌは、Ａ／ｎの整数倍、Ｌ≦ｎ）
としたとき
Ｌ＋Ｒ／ｎ＝商・・・剰余Ｐ
で導かれる剰余（あまり）Ｐの値を図にしたものである。
【００２５】
以上の理論、一般式を参照して、野地寸法に対応して、Ａ／ｎ以下の範囲で施工できる具体的な分割条件を説明する。
【００２６】
図１０において、（Ｒ−１，Ｒ，Ｒ＋１）と（Ｌ−１，Ｌ，Ｌ＋１）とで囲まれるＰ（▲印）の中に（０，１，２，・・・ｎ−１）の整数がすべて含まれるようにＬとＲの値を決めて三角隅瓦を作成すればよい。そして、この例のように、ＬとＲがそれぞれ３つの位置を占める場合は、ｎ＝５（分割数が２〜５）までは左右１枚づつの三角隅瓦で対応できることが解かる（図１１、図１２、図１３の各例を参照）。
【００２７】
図１４−１〜１４−３に示す６分割の例では、新たにＲ−２のカット線を設けることで左右１枚づつの三角隅瓦で対応できることが解かる。
【００２８】
また図１５−１、１５−２に示す８分割の例では、新たにＬ２を設けることでＲ，Ｌ１，Ｌ２の３枚で構成すれば（０，１，２，・・・ｎ−１）の整数をすべて含むことが解かる。
【００２９】
尚、左右の三角隅瓦をＬ＝Ｒ＝ｎすなわち最大の大きさに設定すると（例えば、図１３−４〜１３−６参照）、左右の隅下瓦は当該棧瓦に近い形になるので、この場合は、隅下瓦を製造しないで部品点数を減らすことも可能である。また図示しないが、三角隅瓦と隅下瓦とを一体成形で製造して、部品点数を減らすことも可能である。
【００３０】
図示しないが、本発明は、平板、和形等形状を問わずに実施できるとともに筋葺きも千鳥葺も問わない。また半瓦を使用することのできる瓦の千鳥・筋葺きの場合では、ｎが偶数であれば半瓦は１／２ｎの大きさとなるので、Ｌ，Ｒの値で１／２ｎより大きなものは１／２ｎを減ずることで、Ｌ，Ｒの値を変換することができる。
【００３１】
図１６の８分割の例で説明すると、図１６−１の上段は通常のポジションを、また下段は半瓦を使用した変換後のポジションを示した図表である。この図のとおり変換後のＰの値は、４分割のＰの値と同一となるので、半瓦を使用することで、８分割は４分割と同じ使用態様が可能となる。
【００３２】
【実施例】
図中１は三角隅瓦で、１００は右三角隅瓦、１０１は左三角隅瓦を示す。２は棧瓦を、また３は隅下瓦で、３００は右隅下瓦、３０１は左隅下瓦を示す。
【００３３】
図中４はカット用の案内線、５は水返し突条、又は面戸を、それぞれ示す。
【００３４】
図中６は半瓦を示す。また７は隅下半瓦で、７００は右隅下半瓦、７０１は左隅下半瓦を示す。
【００３５】
【発明の効果】
請求項１の発明は、屋根勾配のび率θの屋根に葺かれる棧瓦の利き幅をＡ、利き足をθＡとしたとき、屋根の隅棟部に葺上げられる隅瓦の形状を三角形状とし、三角形状の隅瓦の寸法を利き幅をａ（ａ≦Ａ）に、利き足θａに構成し、さらに三角形状の隅瓦にカット用の案内線を隅瓦の斜辺の内側に平行に設け、案内線よりカットすることで三角形状の隅瓦の寸法を変更可能とした三角隅瓦であって、三角隅瓦の利き幅ａは棧瓦の利き幅Ａのｎ整数分割した値であって、下記となり、
0003678681.tif 000006
利き足θＡは、利き幅Ａに屋根勾配のび率θを掛けた値であって、下記となり、
0003678681.tif 000007
カット用の案内線を隅瓦の斜辺からＡ／ｎの内側に平行に設けたことを特徴とする三角隅瓦である。従って、三角隅瓦を三角形状とし、かつ棧瓦の利き幅の範囲内での寸法調整を利用して、隅棟部に使用する三角隅瓦を、工場生産又は出荷時に確保し、現場で瓦廃材の発生をできる限りなくし得ること、又は瓦廃材の発生を回避することで、作業性、経済性、環境等の向上が図れること、また棟芯と三角隅瓦との組合せを利用して、野地寸法の大小に効率的に対応できること、等の特徴がある。
【００３６】
請求項２の発明は、屋根勾配のび率θの屋根に葺かれる棧瓦の利き幅をＡ、利き足をθＡとしたとき、屋根の隅棟部に葺上げられる隅瓦の形状を三角形状とし、三角形状の隅瓦の寸法を利き幅をａ（ａ≦Ａ）に、利き足θａに構成し、さらに三角形状の隅瓦にカット用の案内線を隅瓦の斜辺の内側に平行に設け、案内線よりカットすることで三角形状の隅瓦の寸法を変更可能に構成したことを特徴とした三角隅瓦であって、三角隅瓦の利き幅ａは棧瓦の利き幅Ａのｎ整数分割した値であって、下記となり、
0003678681.tif 000008
利き足θＡは、利き幅Ａに屋根勾配のび率θを掛けた値であって、下記となり、
0003678681.tif 000009
カット用の案内線を隅瓦の斜辺からＡ／ｎの内側に平行に設けたことを特徴とする三角隅瓦の下に施工される隅下瓦であって、隅下瓦は、三角隅瓦の斜辺の延長線に沿ってカットし、斜辺上部の不要な部分を除いた構成であり、斜辺の内側に平行にカット用の案内線を設け、案内線よりカットすることで寸法を変更可能に構成し、三角隅瓦の斜辺に対応して決定されることを特徴とする隅下瓦である。従って、三角隅瓦を施工した時に、現場において、瓦廃材の発生をできる限りなくし得ること、及び瓦廃材の発生を回避することで、作業性、経済性、環境等の向上が図れること、また請求項１と略同じ効果が期待できること、等の特徴がある。
【００３７】
請求項３の発明は、三角隅瓦において、水返し突条又は面戸を、カット用案内線の内側近くに設けたことを特徴とする三角隅瓦である。従って、隅棟部の雨仕舞確保、体裁確保に最適な寸法の三角隅瓦を提供して、請求項１の目的を達成できる特徴がある。
【００３８】
【００３９】
【００４０】
請求項４の発明は、隅下瓦において、水返し突条又は面戸を、カット用案内線の内側近くに設けたことを特徴とする隅下瓦である。従って、隅棟部の雨仕舞確保、体裁確保に最適な寸法の隅下瓦を提供して、請求項１の目的を達成できる特徴がある。
【００４１】
請求項５の発明は、三角隅瓦及び隅下瓦並びに隅下半瓦と、棧瓦、半瓦並びに棟瓦とで施工することを特徴とする三角隅瓦及び隅下瓦等を使用した隅棟部の施工方法である。従って、三角隅瓦と隅下瓦と他の瓦との組合せを介して隅棟部を、確実かつ簡易に施工できること、又は請求項１の目的を達成できること、等の特徴がある。
【図面の簡単な説明】
【図１】      隅棟部の施工の一例を示す図である。
【図２】      図１を利用して、野地寸法の大小に対応できる内容を説明する模式図である。
【図３】      棧瓦と三角隅瓦との関係を説明する拡大模式図である。
【図４】      棧瓦と５分割した三角隅瓦との関係を説明する拡大模式図である。
【図５】      図４の５分割した三角隅瓦と棟芯との関係を説明する拡大模式図である。
【図６】      図４の例の他の使用例を説明する拡大模式図である。
【図７】      ５分割した三角隅瓦の各態様を説明する拡大模式図である。
【図８】      棧瓦と５分割した三角隅瓦と野地寸法との関係を説明する拡大模式図である。
【図９−１】 分割した三角隅瓦と調整可能なポジションとの関係を説明する図である。
【図９−２】 図９−１のポジションを形成する三角隅瓦を示す拡大模式図である。
【図１０】      棧瓦の利き幅を整数分割し、カット用案内線を１本設けたもの一例を表で示した図である。
【図１１−１】 ３分割した三角隅瓦を使用した一例であり、組合せを説明する図である。
【図１１−２】 ３分割した三角隅瓦を使用した一例であり、三角隅瓦の拡大正面図である。
【図１１−３】 ３分割した三角隅瓦を使用した一例であり、隅下瓦の拡大正面図である。
【図１２−１】 ４分割した三角隅瓦を使用した一例であり、組合せを説明する図である。
【図１２−２】 ４分割した三角隅瓦を使用した一例であり、三角隅瓦の拡大正面図である。
【図１２−３】 ４分割した三角隅瓦を使用した一例であり、隅下瓦の拡大正面図である。
【図１３−１】 ５分割した三角隅瓦を使用した一例であり、組合せを説明する図である。
【図１３−２】 ５分割した三角隅瓦を使用した一例であり、三角隅瓦の拡大正面図である。
【図１３−３】 ５分割した三角隅瓦を使用した一例であり、隅下瓦の拡大正面図である。
【図１３−４】 ５分割した三角隅瓦を使用した一例であり、他の組合せを説明する図である。
【図１３−５】 ５分割した三角隅瓦を使用した一例であり、図１３−４の三角隅瓦の拡大正面図である。
【図１３−６】 ５分割した三角隅瓦を使用した一例であり、図１３−４の隅下瓦の拡大正面図である。
【図１４−１】 ６分割した三角隅瓦を使用した一例であり、組合せを説明する図である。
【図１４−２】 ６分割した三角隅瓦を使用した一例であり、三角隅瓦の拡大正面図である。
【図１４−３】 ６分割した三角隅瓦を使用した一例であり、隅下瓦の拡大正面図である。
【図１５−１】 ８分割した三角隅瓦を使用した一例であり、組合せを説明する図である。
【図１５−２】 ８分割した三角隅瓦を使用した一例であり、三角隅瓦の拡大正面図である。
【図１５−３】 ８分割した三角隅瓦を使用した一例であり、隅下瓦の拡大正面図である。
【図１６−１】 ８分割した三角隅瓦を使用した他の一例であり、組合せを説明する図である。
【図１６−２】 ８分割した三角隅瓦を使用した他の一例であり、三角隅瓦の拡大正面図である。
【図１６−３】 ８分割した三角隅瓦を使用した他の一例であり、隅下瓦の拡大正面図である。
【図１６−４】 ８分割した三角隅瓦を使用した他の一例であり、隅下半瓦の拡大正面図である。
【符号の説明】
１          三角隅瓦
１００      右三角隅瓦
１０１      左三角隅瓦
２          棧瓦
３          隅下瓦
３００      右隅下瓦
３０１      左隅下瓦
４          案内線
５          水返し突条、又は面戸
６          半瓦
７          隅下半瓦
７００      右隅下半瓦
７０１      左隅下半瓦
【図１】
0003678681.tif 000014
【図２】
0003678681.tif 000015
【図３】
0003678681.tif 000016
【図４】
0003678681.tif 000017
【図５】
0003678681.tif 000018
【図６】
0003678681.tif 000019
【図７】
0003678681.tif 000020
【図８】
0003678681.tif 000021
【図９】
0003678681.tif 000022
0003678681.tif 000023
【図１０】
0003678681.tif 000024
【図１１】
0003678681.tif 000025
0003678681.tif 000026
【図１２】
0003678681.tif 000027
0003678681.tif 000028
【図１３】
0003678681.tif 000029
0003678681.tif 000030
0003678681.tif 000031
0003678681.tif 000032
【図１４】
0003678681.tif 000033
0003678681.tif 000034
【図１５】
0003678681.tif 000035
0003678681.tif 000036
【図１６】
0003678681.tif 000037
0003678681.tif 000038